(57)【特許請求の範囲】
【請求項１】
パチンコ遊技機の前面に設けられた余剰球受皿の底部に球抜き孔を形成し、該球抜き孔を開閉するシャッター板を水平面内で摺動自在なるように設け、該シャッター板の一側縁にラック歯を形成し、該ラック歯に噛合する大径歯車を回転自在に軸支し、該大径歯車に同軸一体的に小径歯車を設け、該小径歯車に噛合する曲率半径の大きい扇形歯車を回転自在に軸支し、該扇形歯車とは別体に形成された球抜ボタンをパチンコ遊技機の前面に出没自在に設け、該球抜ボタンの内端部を該扇形歯車の一側縁に当接し得るように対向させ、該球抜ボタンを押圧操作することにより該扇形歯車を介して前記小径歯車，大径歯車を回転させ前記シャッター板を摺動させるとともに、該扇形歯車にバネを係止し該バネにより該シャッター板を球抜き孔を閉じる方向に付勢させると同時に該バネの弾性により該扇形歯車の一側縁が球抜ボタンの内端部を押圧することで該球抜ボタンが突出方向に付勢されるようにしたことを特徴としたパチンコ遊技機における余剰球受皿の球抜き装置。
【発明の詳細な説明】
【０００１】
【発明の属する技術分野】
本発明はパチンコ遊技機の前面に余剰球を受けるために設けられた余剰球受皿（下皿）の球抜き装置の構造に関するものである。
【０００２】
【従来の技術】
周知のように、パチンコ遊技機の前面には打球供給皿（上皿）と余剰球受皿（下皿）とが上下段に設けられ、景品球が該打球供給皿に一定量貯留されると余剰球受皿に流下するよう構成されている。そして余剰球受皿の底面に球抜き孔が設けられ、遊技客が球抜ボタンを操作しシャッター板を摺動させることによりこの球抜き孔を開口させ、余剰球受皿に溜まったパチンコ球を球箱等に移し替えられるようにしている。
【０００３】
従来このような余剰球受皿の球抜き装置は、例えば実開平４−９２２８３号公報に記載されているように、余剰球受皿の一側に出没自在に設けられた球抜ボタンの動きがラック歯と歯車からなる伝動機構を介してシャッター板に伝達され、該シャッター板を摺動させることにより球抜口を開閉させる構造であった。
【０００４】
【発明が解決しようとする課題】
ところで従来の上記球抜き装置は、球抜ボタンに一体的に形成されたラック歯を歯車に噛合させた構造であったので、球抜ボタンを出没自在に支持する構造が遊び（即ち、ガタつき）が大きいと歯車との噛合が悪くなって破損し易いという問題点があった。また、球抜ボタンが乱暴に操作されるとこのラック歯と歯車との噛合部を一層破損させ易いという問題点があった。
【０００５】
本発明は、上記した問題点に鑑みてなされたもので、その目的とするところは、乱暴に操作されても故障し難く、耐久性がある堅牢な構造の球抜き装置を提供することにある。
【０００６】
【課題を解決するための手段】
その目的を達成するために、本発明のパチンコ遊技機における余剰球受皿の球抜き装置は、パチンコ遊技機の前面に設けられた余剰球受皿の底部に球抜き孔を形成し、該球抜き孔を開閉するシャッター板を水平面内で摺動自在なるように設け、該シャッター板の一側縁にラック歯を形成し、該ラック歯に噛合する大径歯車を回転自在に軸支し、該大径歯車に同軸一体的に小径歯車を設け、該小径歯車に噛合する曲率半径の大きい扇形歯車を回転自在に軸支し、該扇形歯車とは別体に形成された球抜ボタンをパチンコ遊技機の前面に出没自在に設け、該球抜ボタンの内端部を該扇形歯車の一側縁に当接し得るように対向させ、該球抜ボタンを押圧操作することにより該扇形歯車を介して前記小径歯車，大径歯車を回転させ前記シャッター板を摺動させるとともに、該扇形歯車にバネを係止し該バネにより該シャッター板を球抜き孔を閉じる方向に付勢させると同時に該バネの弾性により該扇形歯車の一側縁が球抜ボタンの内端部を押圧することで該球抜ボタンが突出方向に付勢されるようにしたことを特徴としている。
【０００７】
【発明の実施の形態】
次に、本発明の実施の形態を図面を参照して説明する。図１は本発明が適用されるパチンコ遊技機の正面図、図２は同ガラス板保持枠と打球供給皿を有する前面板及び余剰球受皿を有する前面下部板を開いた状態の斜視図、図３は前面枠体とガラス板保持枠と前面板及び前面下部板を取り外した状態の分解斜視図である。パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と、打球供給皿６を有する前面板７および装飾カバー体８を有する前面下部板９が開閉自在に軸支されている。
【０００８】
前面枠体４は、図４〜図６に示すように、鉄板等の金属板によって形成されるもので、上部にほぼ正方形状の開口部１０が形成され、その下部が板状部１１ａとして形成された主枠部１１と、遊技盤取付枠１２を構成する金属製の左右縦枠１２ａ，１２ｂおよび下部枠１２ｃとを備えて構成されている。前記主枠部１１の外周縁は、前方に直角に折曲されて断面形状がＬ字状に形成されており、さらにその外周縁部の内側に沿って外枠２の前縁に当接する段部１３が形成されている。前記左右縦枠１２ａ，１２ｂおよび下部枠１２ｃは、主枠部１１の裏面側であり、開口部１０の左右両側位置及び下側位置にそれぞれカシメ着されて該主枠部１１と一体化されるもので、その遊技盤取付枠１２であり、かつ主枠部１１の開口部１０を覆うように遊技盤１４が着脱可能に取り付けられるようになっている。なお、前記開口部１０は、その下部一側が遊技盤１４の遊技領域を形成する円形状の誘導レール１５の外周面に沿うように円弧状に張り出し形成されており、その円弧状形成面１６に打球供給皿６の賞球導入部１７に連通する賞球出口１８が開設されている。さらに、開口部１０の下方の板状部１１ａには打球発射機構１９を取着するための円形状取付孔２０および打球供給皿６の余剰球を余剰球受皿３３に誘導したり、打球発射機構１９から発射された打球がファールになったときそのファール球を余剰球受皿３３に誘導したりするための通路構成体２１を取着するためのほぼ四角状取付孔２２が貫通形成されている。そして、該前面枠体４はヒンジ機構３を支点にして外枠２に開閉自在に装着される。
【０００９】
また、該前面枠体４には図４に示したようにパチンコ遊技機１の主要な遊技構成部品が集約して設けられる。即ち、前面枠体４の主枠部１１前面に、遊技盤１４の遊技領域外を覆うように合成樹脂により形成された装飾用のレール飾り部材２３と、同じように打球の衝突による誘導レール１５の変形を防止するため合成樹脂により形成されたレール変形防止部材２４が設けられ、遊技盤の遊技領域外には、パチンコ遊技機１が検査に合格したことを示す証紙を貼り付ける証紙貼付部材２５が設けられる。２６は前記前面枠４の一側に設けられ外枠２に対し前面枠体４をまた前面枠体４に対しガラス板保持枠５をそれぞれロックまたは開成させる施錠機構である。
【００１０】
ガラス板保持枠５は、前面枠体４の上半部分を全幅にわたって覆う大きさに形成され、その中央部に遊技盤１４の遊技領域が視認可能な方形状の開口が形成される合成樹脂製の本体枠５ａと、該本体枠５ａの裏面側に装着される補強金属板５ｂとから構成されている。前記補強金属板５ｂには、本体枠５ａの開口の上辺部を除く左右側辺部及び下側辺部を囲うようにコ字形に形成された溝枠部材５ｃが一体的に設けられており、該溝枠部材５ｃに遊技盤１４を透視し得る内外２枚のガラス板２７が上方より挿入嵌合されて保持されている。
【００１１】
打球供給皿６は球貯留部６ａを有し、該球貯留部６ａに貯留されるパチンコ球は一列に整列されながら前面板７に開設された球出口７ａから裏面に導かれて前記した打球発射機構１９に連続状態で送り込まれるようになっている。また、打球供給皿６前面の左側部分は前面が開放されたドーム状の空間部２８が形成されるような膨出部２９とされており、その空間部２８に灰皿３０が前方に回転自在に軸支されている。
【００１２】
一方、図７〜図１０に示すように、前面下部板９の前面に設けられる装飾カバー体８には前方に湾曲状に張り出す張出部８ａが形成され、該張出部中に余剰球受皿３３が抱持されるとともに該前面下部板９と装飾カバー体８の間にベース板３１が挟着され、ベース板３１には前面下部板９の方形開口３４から後方へ突出して打球供給皿６の余剰球を余剰球受皿３３に導く下皿口３５と円形孔３６の前面周縁部分を囲う膨出フランジ部３７ａが設けられ、該膨出フランジ部３７ａにより拡声窓孔３７が形成され、円形孔３６を介してパンチングメタル３８，スピーカー３９およびカバー４０がビス止めされる。
【００１３】
余剰球受皿３３の底部には円形の球抜き孔４１が形成され、該余剰球受皿３３の下面４隅にボス４２を突設するとともに２条平行に摺動レール４３を形成し、摺動レール４３の両側にガイド壁４３ａを形成し、該各摺動レール４３の中程にガイドピン４４を突設し、略長方形状のシャッター板４５に２条平行に長孔４６を形成し、該長孔４６中に該ガイドピン４４を遊嵌し、該シャッター板４５をボス４２にビス６４により止着した底板４７上に支持することにより、該シャッター板４５を矢印で示したように水平面内で摺動自在なるように支持し、その摺動により球抜き孔４１が開閉されるようにする。なお、４７aは底板４７に形成された球抜き孔である。また、シャッター板４５の一側縁にラック歯４８を形成し、該ラック歯に噛合する大径歯車４９を軸５０に回転自在に軸支し、該大径歯車に同軸一体的に小径歯車５１を設ける。５２は該小径歯車５１に噛合する曲率半径の大きい扇形歯車で、該扇形歯車は軸５３に回転自在に軸支される。また、装飾カバー体８の前面に楕円形の透孔５４を形成し該透孔中に球抜ボタン５５を出没自在に設け、該球抜ボタンの内端部に形成された押圧片５６を扇形歯車５２の一側縁に形成された凹窪部５７に対峙させる。なお、球抜ボタン５５の外周には透孔５４の内径より大きいリブ５５ａが形成されていることから前方への抜脱がないようにしている。また、５８は一端を扇形歯車５２に係止し他端を余剰球受皿３３の底面に突設されたピン５９に止着した引張状のバネで、該バネの引張力によりシャッター板４５が球抜き孔４１を閉じる方向に付勢すると同時に球抜ボタン５５を突出方向に付勢している。
【００１４】
このため球抜ボタン５５をバネ５８の弾性に抗して押圧操作すると扇形歯車５２が旋回し前記小径歯車５１，大径歯車４９を増速して回転させ、さらに該大径歯車の回転がシャッター板４５に伝達され該シャッター板４５を摺動させて球抜き孔４１が開かれ、余剰球受皿３３中に貯留されたパチンコ球を下方に排出させることができ、該余剰球受皿３３中にパチンコ球が満杯となった場合や遊技を終了させる時に、該余剰球受皿３３中のパチンコ球を球ケース等に移すことができる。
【００１５】
また、６０は装飾カバー体８の右隅に形成された切欠部６１にカバー部６２が合着するように設けられたハンドル装置で、該ハンドル装置に打球の飛距離を調節する操作ハンドル６３が回転自在に設けられている。
【００１６】
【発明の効果】
本発明に係る球抜き装置は、上述説明したように、球抜ボタンと扇形歯車とを別体に形成し、該球抜ボタンの内端部を該扇形歯車の一側縁に当接し得るように対向させ、該球抜ボタンを押圧操作することにより該扇形歯車を介して前記小径歯車，大径歯車を回転させ前記シャッター板を摺動させるとともに、該扇形歯車にバネを係止し該バネにより該シャッター板を球抜き孔を閉じる方向に付勢させると同時に該バネの弾性により該扇形歯車の一側縁が球抜ボタンの内端部を押圧することで該球抜ボタンが突出方向に付勢されるようにしたので、遊技者によって球抜ボタンが乱暴に操作されることがあっても球抜ボタンの動きが扇形歯車と小径歯車との噛合部に直接に伝達することなく、その噛合が狂うことなく常に良好な状態に保たれる。このため球抜ボタンを十分な遊びをもって透孔に設けることができると共に、該球抜ボタンが乱暴に操作されても故障し難く、耐久性がある堅牢な構造の球抜き装置を提供できる。
本発明に係る球抜き装置は、上述説明したように、球抜ボタンと扇形歯車とを別体に形成し、該球抜ボタンの内端部を該扇形歯車の一側縁に当接し得るように対向させ、該球抜ボタンを押圧操作することにより該扇形歯車を介して前記小径歯車，大径歯車を回転させ前記シャッター板を摺動させるとともに、該扇形歯車にバネを係止し該バネにより該シャッター板を球抜き孔を閉じる方向に付勢させると同時に該バネの弾性により該扇形歯車の一側縁が球抜ボタンの内端部を押圧することで該球抜ボタンが突出方向に付勢されるようにしたので、球抜ボタンと扇形歯車とを別体に形成しても一つのバネにより付勢され簡単に構成できると共に、遊技者によって球抜ボタンが乱暴に操作されることがあっても球抜ボタンの動きが扇形歯車と小径歯車との噛合部に直接に伝達することなく、その噛合が狂うことなく常に良好な状態に保たれる。このため球抜ボタンを十分な遊びをもって透孔に設けることができると共に、該球抜ボタンが乱暴に操作されても故障し難く、耐久性がある堅牢な構造の球抜き装置を提供できる。
本発明に係る球抜き装置は、上述説明したように、球抜ボタンと扇形歯車とを別体に形成し、該球抜ボタンの内端部を該扇形歯車の一側縁に当接し得るように対向させ、該球抜ボタンを押圧操作することにより該扇形歯車を介して前記小径歯車，大径歯車を回転させ前記シャッター板を摺動させるとともに、該扇形歯車にバネを係止し該バネにより該シャッター板を球抜き孔を閉じる方向に付勢させると同時に該バネの弾性により該扇形歯車の一側縁が球抜ボタンの内端部を押圧することで該球抜ボタンが突出方向に付勢されようにしたので、遊技者によって球抜ボタンが乱暴に操作されるようなことがあっても球抜ボタンの動きが扇形歯車と小径歯車との噛合部に直接に伝達することなく、その噛合が狂うことなく常に良好な状態に保たれる。このため球抜ボタンを十分な遊びをもって透孔に設けることができると共に、該球抜ボタンが乱暴に操作されても故障し難く、耐久性がある堅牢な構造の球抜き装置を提供できる。
【図面の簡単な説明】
【図１】本発明の実施形態を示したパチンコ遊技機の正面図である。
【図２】本発明の実施形態を示したガラス板保持枠と打球供給皿を有する前面板及び余剰球受皿を有する前面下部板を開いた状態の斜視図である。
【図３】本発明の実施形態を示した前面枠体とガラス板保持枠と前面板及び前面下部板を取り外した状態の分解斜視図である。
【図４】本発明の実施形態を示した前面枠体の分解斜視図である。
【図５】本発明の実施形態を示した前面枠体の前面からの斜視図である。
【図６】本発明の実施形態を示した前面枠体の裏面からの斜視図である。
【図７】本発明の実施形態を示した装飾カバー体と前面下部板の斜視図である。
【図８】本発明の実施形態を示した装飾カバー体と前面下部板の分解斜視図である。
【図９】本発明の実施形態を示した余剰球受皿と底板の分解斜視図である。
【図１０】本発明の実施形態を示した装飾カバー体と前面下部板の横断面図である。
【図１１】本発明の実施形態を示した余剰球受皿の球抜き装置の縦断面図である。
【符号の説明】
１            パチンコ遊技機
６            打球供給皿
８            装飾カバー体
９            前面下部板
３１          ベース板
３３        余剰球受皿
４１        球抜き孔
４３        摺動レール
４４        ガイドピン
４５        シャッター板
４６        長孔
４７        底板
４８        ラック歯
４９        大径歯車
５０        軸
５１        小径歯車
５２        扇形歯車
５３        軸
５４        透孔
５５        球抜ボタン
５６        押圧片
５７        凹窪部
５８        バネ
【図１】
0004017798.tif 000002
【図２】
0004017798.tif 000003
【図３】
0004017798.tif 000004
【図４】
0004017798.tif 000005
【図５】
0004017798.tif 000006
【図６】
0004017798.tif 000007
【図７】
0004017798.tif 000008
【図８】
0004017798.tif 000009
【図９】
0004017798.tif 000010
【図１０】
0004017798.tif 000011
【図１１】
0004017798.tif 000012